(57)【要約】【課題】コミュニケーションサイトにおいて、ユーザが複雑な操作をすることなく、ユーザの関係を分類登録して表示を行う。【解決手段】ユーザ２１が他のユーザ２１のホームページをアクセスすると、そのアクセスが初めてのアクセスだった場合に、ユーザ情報処理部１２は、このアクセスの直前の経由ページを解析し、この経由ページ情報を接触情報としてユーザ情報データベース１３に保存する。ホームページではそのホームページのユーザ２１の友人関係にあるユーザ２１の登録名を表示させるとともに、その友人関係にあるユーザ２１との接触情報をユーザ情報データベース１３から読み出して表示させる。【選択図】  図２
2008234340.tif 000002
【特許請求の範囲】
【請求項１】
ユーザ登録を行うことにより専用ホームページが与えられ、登録ユーザ間でお互いのホームページにアクセスすることが可能なコミュニケーションサイトを運営するインターネットコミュニケーションサーバにおいて、
任意の第１のユーザが友人関係にない第２のユーザのホームページにアクセスした際の直前のページ情報を、接触情報として保存するデータベースと、
前記第１のユーザと第２のユーザとが友人関係になる友人登録を受け付ける友人登録受付手段と、
各ユーザのホームページにそのユーザと友人関係にあるユーザを示す友人情報表示手段と、を備え、
前記友人情報表示手段は、前記友人情報とともに、前記データベースに基づいて友人となるきっかけになった接触情報を表示させることを特徴とするインターネットコミュニケーションサーバ。
【請求項２】
前記友人情報表示工程は、前記第１のユーザと第２のユーザとが友人登録される前に前記第１のユーザが第２のユーザのホームページをアクセスすると、前記ホームページに前記第１のユーザの友人情報は表示させずに前記接触情報のみを表示させることを特徴とする請求項１に記載のインターネットコミュニケーションサーバ。
【請求項３】
前記友人情報表示手段は、前記接触情報のうち最も古い接触情報を表示することを特徴とする請求項１又は２に記載のインターネットコミュニケーションサーバ。
【請求項４】
前記友人情報表示手段は、前記接触情報のうち最も新しい接触情報を表示することを特徴とする請求項１又は２に記載のインターネットコミュニケーションサーバ。
【請求項５】
前記友人情報表示手段は、前記接触情報のうち友人登録した直前の接触情報を表示することを特徴とする請求項１に記載のインターネットコミュニケーションサーバ。
【請求項６】
ユーザ登録を行うことにより専用ホームページが与えられ、登録ユーザ間でお互いのホームページにアクセスすることが可能なコミュニケーションサイトを運営するインターネットコミュニケーションサーバにおいて、
任意のユーザが友人関係にないユーザのホームページにアクセスした際の直前のページ情報を、接触情報として保存するデータベースと、
任意のユーザと前記任意のユーザと友人関係にないユーザとが友人関係になる友人登録を受け付ける友人登録受付手段と、
各ユーザのホームページにそのユーザと友人関係にあるユーザを示すとともに、前記友人関係にあるユーザとの詳細な関係を示す友人情報表示手段と、
前記詳細な関係を、前記各ユーザが編集する編集手段と、を備え、
前記友人情報表示手段は、前記詳細な関係が編集されていない場合に、前記データベースに基づいて友人となるきっかけになった接触情報を前記詳細な関係として表示させることを特徴とするインターネットコミュニケーションサーバ。
【請求項７】
前記友人情報表示手段は、前記詳細な関係が編集されていない場合に、前記接触情報のうち最も古い接触情報を表示することを特徴とする請求項６に記載のインターネットコミュニケーションサーバ。
【請求項８】
前記友人情報表示手段は、前記詳細な関係が編集されていない場合に、前記接触情報のうち友人登録した直前の接触情報を表示することを特徴とする請求項６に記載のインターネットコミュニケーションサーバ。
【発明の詳細な説明】
【技術分野】
【０００１】
本発明はインターネットコミュニケーションサーバに係り、特にユーザ間でお互いのホームページにアクセスすることができるコミュニケーションサイトを運営するインターネットコミュニケーションサーバに関する。
【背景技術】
【０００２】
従来から、インターネットを利用したサービスとして、ＳＮＳ（ソーシャルネットサービス）と呼ばれるコミュニケーションサイトが存在する。サイト内では、ユーザ同士がそれぞれのホームページを自由にアクセスし、共通の趣味や嗜好、居住地域といったつながりを通じて新たな人間関係を構築していく。特許文献１には、人脈ネットワークを個人的な関係と公共的な関係とに分けて、個人的な関係の人脈ネットワークは、ユーザ両者の間でのみ利用できるようにしたコミュニケーションシステムが提案されている。
【特許文献１】特開２００５−３５３０９９号公報
【発明の開示】
【発明が解決しようとする課題】
【０００３】
コミュニケーションサイトにおいて、ユーザ間の関係を「友人」などのようなカテゴリで分けているものは存在するが、さらに細かいカテゴライズを自動で行う方法を開示したものはなかった。本発明はこのような事情に鑑みてなされたもので、ユーザが複雑な操作をすることなく、ユーザの関係を分類登録して表示させるインターネットコミュニケーションサーバを提供することを目的とする。
【課題を解決するための手段】
【０００４】
前記目的を達成するために請求項１に係るインターネットコミュニケーションサーバは、ユーザ登録を行うことにより専用ホームページが与えられ、登録ユーザ間でお互いのホームページにアクセスすることが可能なコミュニケーションサイトを運営するインターネットコミュニケーションサーバにおいて、任意の第１のユーザが友人関係にない第２のユーザのホームページにアクセスした際の直前のページ情報を、接触情報として保存するデータベースと、前記第１のユーザと第２のユーザとが友人関係になる友人登録を受け付ける友人登録受付手段と、各ユーザのホームページにそのユーザと友人関係にあるユーザを示す友人情報表示手段とを備え、前記友人情報表示手段は、前記友人情報とともに、前記データベースに基づいて友人となるきっかけになった接触情報を表示させることを特徴とする。
【０００５】
これにより、他のユーザのホームページにアクセスしたユーザは、そのホームページのユーザと、そのユーザの友人との接触情報を知ることができ、コミュニケーションを活発にすることができる。
【０００６】
請求項２に示すように請求項１に記載のインターネットコミュニケーションサーバにおいて、前記友人情報表示工程は、前記第１のユーザと第２のユーザとが友人登録される前に前記第１のユーザが第２のユーザのホームページをアクセスすると、前記ホームページに前記第１のユーザの友人情報は表示させずに前記接触情報のみを表示させることを特徴とする。
【０００７】
これにより、他のユーザのホームページにアクセスしたユーザは、そのホームページのユーザとの過去の接触情報を知ることができ、コミュニケーションを活発にすることができる。
【０００８】
請求項３に示すように請求項１又は２に記載のインターネットコミュニケーションサーバにおいて、前記友人情報表示手段は、前記接触情報のうち最も古い接触情報を表示することを特徴とする。
【０００９】
請求項４に示すように請求項１又は２に記載のインターネットコミュニケーションサーバにおいて、前記友人情報表示手段は、前記接触情報のうち最も新しい接触情報を表示することを特徴とする。
【００１０】
請求項５に示すように請求項１に記載のインターネットコミュニケーションサーバにおいて、前記友人情報表示手段は、前記接触情報のうち友人登録した直前の接触情報を表示することを特徴とする。
【００１１】
前記目的を達成するために請求項６に係るインターネットコミュニケーションサーバは、ユーザ登録を行うことにより専用ホームページが与えられ、登録ユーザ間でお互いのホームページにアクセスすることが可能なコミュニケーションサイトを運営するインターネットコミュニケーションサーバにおいて、任意のユーザが友人関係にないユーザのホームページにアクセスした際の直前のページ情報を、接触情報として保存するデータベースと、任意のユーザと前記任意のユーザと友人関係にないユーザとが友人関係になる友人登録を受け付ける友人登録受付手段と、各ユーザのホームページにそのユーザと友人関係にあるユーザを示すとともに、前記友人関係にあるユーザとの詳細な関係を示す友人情報表示手段と、前記詳細な関係を、前記各ユーザが編集する編集手段と、を備え、前記友人情報表示手段は、前記詳細な関係が編集されていない場合に、前記データベースに基づいて友人となるきっかけになった接触情報を前記詳細な関係として表示させることを特徴とする。
【００１２】
これにより、友人関係情報をより詳細に表示することができ、コミュニケーションを活発にすることができる。
【００１３】
請求項７に示すように請求項６に記載のインターネットコミュニケーションサーバにおいて、前記友人情報表示手段は、前記詳細な関係が編集されていない場合に、前記接触情報のうち最も古い接触情報を表示することを特徴とする。
【００１４】
請求項８に示すように請求項６に記載のインターネットコミュニケーションサーバにおいて、前記友人情報表示手段は、前記詳細な関係が編集されていない場合に、前記接触情報のうち友人登録した直前の接触情報を表示することを特徴とする。
【発明の効果】
【００１５】
本発明によれば、ユーザ間の友人となったきっかけの関係を表示することにより、よりコミュニケーションを活発にできるインターネットコミュニケーションサーバを提供することができる。
【発明を実施するための最良の形態】
【００１６】
以下、添付図面に従って本発明を実施するための最良の形態について説明する。
【００１７】
＜第１の実施の形態＞
図１は、本発明に係るコミュニケーションサイトを提供するインターネットコミュニケーションサーバ１０（以下、サーバ１０とする）が設けられたネットワークの概略図である。サーバ１０は、ウェブサーバ１１、ユーザ情報処理部１２、及びユーザ情報データベース１３から構成され、インターネット２０を介して複数のクライアント（ユーザ）２１と接続される。ウェブサーバ１１は、ユーザ２１に対してウェブページを提供し、ユーザ情報処理部１２は、ウェブサーバ１１が提供したウェブページへのユーザ２１のアクセス状況を解析し、このアクセス情報をユーザ情報としてユーザ情報データベース１３に保存するための処理を行ったり、ユーザ情報データベース１３に保存されたデータをウェブページに表示するための処理を行う。
【００１８】
このサーバ１０が運営するコミュニケーションサイトでは、入会登録を行うと各ユーザに専用のホームページが提供される。このホームページは、自分のプロフィールや日記、及びお互いに友人登録した友人等を他のユーザに公開する機能を備えている。またこのコミュニケーションサイトは、共通の趣味や居住地域等の特定の話題について掲示板等で交流できるコミュニティ機能を備えており、所望のコミュニティに参加登録することにより、自分のホームページからその登録したコミュニティに直接参加することができる。
【００１９】
図２に示すフローチャートを用いて、ユーザ情報データベース１３の作成方法、及びユーザ情報データベース１３に保存されたデータの表示方法について説明する。
【００２０】
最初に、ユーザ２１がコミュニケーションサイトにログインする（ステップＳ２０１）。ユーザ情報処理部１２はこのユーザ２１のユーザＩＤを確認する（ステップＳ２０２）。ここで、このログインしたユーザ２１のユーザＩＤを０００２、登録名をＢとする。次にユーザＩＤ０００２（登録名Ｂ）がログアウトを行ったかどうかの判定を行い（ステップＳ２０３）、ログアウトしていない場合は、他のページをアクセスしたかどうかの判定を行う（ステップＳ２０４）。他のページへのアクセスは、現在表示されているページからのリンクをたどることにより行われる。他ページへのアクセスが行われた場合は、このアクセス先のページが他のユーザ２１のホームページかどうかの判定を行う（ステップＳ２０５）。他のユーザ２１のホームページでない場合は、ウェブサーバ１１はその移動先のウェブページを表示し（ステップＳ２１０）、ステップＳ２０３に戻る。他のユーザ２１のホームページである場合は、そのホームページの所有者であるユーザ２１のユーザＩＤの確認を行う（ステップＳ２０６）。ここで、このホームページの所有者であるユーザ２１のユーザＩＤを０００１、登録名をＡとする。次に、このホームページの所有者であるユーザＩＤ０００１（登録名Ａ）、及びその友人であるユーザ２１のユーザ情報をユーザ情報データベース１３から読み出す（ステップＳ２０７）。
【００２１】
ここで、ユーザ情報データベース１３について説明する。図３は、ユーザ情報データベース１３に保存されているデータを示す図である。
【００２２】
ユーザ情報データベース１３には、各ユーザ２１のユーザＩＤの他、そのユーザ２１のホームページをアクセスしたユーザ２１のユーザＩＤと、そのユーザ２１との友人登録の有無、そのアクセスする直前のページ、即ちどのページのリンクからユーザ２１のページをアクセスしたかを示す経由ページ情報と、そのアクセスの日付が保存されている。本実施の形態においては、アクセスしたユーザ２１が初めてそのホームページをアクセスしたときの経由ページと日付を保存しているが、最新の情報に随時更新してもよい。
【００２３】
図３の（ａ）段は、ユーザＩＤ０００１（登録名Ａ）のホームページに、ユーザＩＤ０００２（登録名Ｂ）が、２００６年１１月３日に、ラーメンコミュニティのページを経由してアクセスしたことを示しており、またユーザＩＤ０００２（登録名Ｂ）は、ユーザＩＤ０００１（登録名Ａ）と友人登録していることを示している。また図３（ｂ）段は、ユーザＩＤ０００１（登録名Ａ）のホームページに、ユーザＩＤ０００３（登録名Ｃ）が、２００７年３月１日に、ユーザＩＤ０００４（登録名Ｄ）のホームページを経由してアクセスしたことを示しており、またユーザＩＤ０００３（登録名Ｃ）は、ユーザＩＤ０００１（登録名Ａ）と友人登録していることを示している。
【００２４】
図２のステップＳ２０７において、アクセスされたホームページの所有者であるユーザＩＤ０００１（登録名Ａ）、及びその友人であるユーザ２１のユーザ情報を読み出すと、次にこのホームページの所有者であるユーザＩＤ０００１（登録名Ａ）と、このホームページをアクセスしたユーザＩＤ０００２（登録名Ｂ）の２人のユーザが友人かどうかの判定を行う。ユーザ情報データベース１３のデータから、この２人のユーザが友人登録していると判断して、ステップＳ２１０に進み、ユーザＩＤ０００１（登録名Ａ）のホームページを表示する。図４（ａ）は、ユーザＩＤ０００２（登録名Ｂ）がユーザＩＤ０００１（登録名Ａ）のホームページをアクセスしたときの、ユーザＩＤ０００１のホームページの表示を示した図である。
【００２５】
ユーザ２１のホームページには、ユーザ情報データベース１３に保存されたデータに基づいて、そのホームページの所有者であるユーザ２１の友人登録されたユーザ２１の登録名とともに、そのユーザ２１と友人となったきっかけ情報として、初めてホームページをアクセスしたときの直前の経由ページ情報が表示される。
【００２６】
図４（ａ）に示すように、ユーザＩＤ０００１（登録名Ａ）のホームページには、友人情報としてユーザＩＤ０００２（登録名Ｂ）及びユーザＩＤ０００３（登録名Ｃ）の２人の登録名が表示されるとともに、この２人のユーザと友人となるきっかけ情報として、ユーザＩＤ０００２（登録名Ｂ）との最初の接触情報である２００６年１０月２８日のサッカーコミュニティ経由のアクセス情報と、ユーザＩＤ０００３（登録名Ｃ）との最初の接触情報である２００７年３月１日のユーザＩＤ０００４（登録名Ｄ）のホームページ経由のアクセス情報とが表示される。ユーザＩＤ０００２（登録名Ｂ）によるユーザＩＤ０００１（登録名Ａ）のホームページへの最初のアクセスは、図３（ａ）段に示す２００６年１１月３日におけるラーメンコミュニティのページ経由のアクセスであるが、図３（ｃ）段に示すように、２００６年１０月２８日にユーザＩＤ０００１（登録名Ａ）によるユーザＩＤ０００２（登録名Ｂ）のホームページへのアクセス情報があるため、最も古いこちらの情報を表示する。
【００２７】
ホームページの表示が終わると、ステップＳ２０３に戻る。ユーザＩＤ０００２（登録名Ｂ）がログアウトするまで、以上の処理が続けられる。
【００２８】
次に、ユーザＩＤ０００４（登録名Ｄ）がユーザＩＤ０００１（登録名Ａ）のホームページにアクセスした場合について、図２を用いて説明する。
【００２９】
前回と同様に、ユーザＩＤ０００４（登録名Ｄ）がログインすると（ステップＳ２０１）、ユーザＩＤが確認され（ステップＳ２０２）、ユーザＩＤ０００１（登録名Ａ）のホームページへ移動すると（ステップＳ２０４、Ｓ２０５）、ホームページの所有者のユーザＩＤが確認される（ステップＳ２０６）。ユーザ情報処理部１２は、ユーザＩＤ０００１（登録名Ａ）のユーザ情報をユーザ情報データベース１３から読み出す（ステップＳ２０７）。次にステップＳ２０８において、友人登録されているかどうかを判定する。図３に示すように、ユーザＩＤ０００１（登録名Ａ）とユーザＩＤ０００４（登録名Ｄ）は友人登録されていないので、ステップＳ２０９に進み、ユーザＩＤ０００１（登録名Ａ）のホームページを表示する。
【００３０】
図４（ｂ）は、ユーザＩＤ０００４（登録名Ｄ）がユーザＩＤ０００１（登録名Ａ）のホームページをアクセスしたときの、ユーザＩＤ０００１のホームページの表示を示した図である。前述したように、ユーザＩＤ０００１（登録名Ａ）のホームページをアクセスしたユーザＩＤ０００４（登録名Ｄ）は、ユーザＩＤ０００１（登録名Ａ）と友人登録していないため、ユーザＩＤ０００１（登録名Ａ）の友人情報にユーザＩＤ０００４（登録名Ｄ）は表示されない。しかし、ユーザ情報データベース１３のデータに基づいて、初めてユーザＩＤ０００１（登録名Ａ）のホームページにアクセスしたときの直前の経由ページ情報とその日付が、接触情報として表示される。
【００３１】
ユーザＩＤ０００１（登録名Ａ）のホームページの表示が終わると、このアクセスが初めてのアクセスであるかの判定を行う（ステップＳ２１１）。ユーザＩＤ０００４（登録名Ｄ）は、以前にもユーザＩＤ０００１（登録名Ａ）のホームページをアクセスしたことがあるので、ステップＳ２０３に戻る。ユーザＩＤ０００４（登録名Ｄ）がログアウトするまで、以上の処理が続けられる。
【００３２】
次に、ユーザＩＤ０００６（登録名Ｆ）がユーザＩＤ０００１（登録名Ａ）のホームページにアクセスした場合について、図２を用いて説明する。
【００３３】
これまでと同様に、ユーザＩＤ０００６（登録名Ｆ）がログインすると（ステップＳ２０１）、ユーザＩＤが確認され（ステップＳ２０２）、ユーザＩＤ０００１（登録名Ａ）のホームページへ移動すると（ステップＳ２０４、Ｓ２０５）、ホームページの所有者のユーザＩＤが確認される（ステップＳ２０６）。ユーザ情報処理部１２は、ユーザＩＤ０００１（登録名Ａ）のユーザ情報をユーザ情報データベース１３から読み出す（ステップＳ２０７）。次にステップＳ２０８において、友人登録されているかどうかを判定する。図３に示すように、ユーザＩＤ０００１（登録名Ａ）とユーザＩＤ０００６（登録名Ｆ）は友人登録されていないので、ステップＳ２０９に進む。
【００３４】
図４（ｃ）は、ユーザＩＤ０００６（登録名Ｆ）がユーザＩＤ０００１（登録名Ａ）のホームページをアクセスしたときの、ユーザＩＤ０００１のホームページの表示を示した図である。前述したように、ユーザＩＤ０００１（登録名Ａ）のホームページをアクセスしたユーザＩＤ０００６（登録名Ｆ）は、ユーザＩＤ０００１（登録名Ａ）と友人登録していないため、ユーザＩＤ０００１（登録名Ａ）の友人情報にユーザＩＤ０００６（登録名Ｆ）は表示されない。また、初めてユーザＩＤ０００１（登録名Ａ）のホームページにアクセスしたため、ユーザ情報データベース１３にはデータが保存されていない。このため、図４（ｃ）に示すように、接触情報として、初めてのアクセスである旨の表示がされる。なお、初めてのアクセスであることが告知できればよく、接触情報を表示しなくてもよい。
【００３５】
ユーザＩＤ０００１（登録名Ａ）のホームページの表示が終わると、初めてのアクセスかどうかの判定を行う（ステップＳ２１１）。ここでは、初めてのアクセスであるので、ステップＳ２１２に進む。ステップＳ２１２では、ユーザ情報処理部１２は、このアクセスにおける直前の経由ページの解析を行う。ここで、ユーザＩＤ０００６（登録名Ｆ）が、２００７年３月１３日に映画コミュニティのページを経由してユーザＩＤ０００１（登録名Ａ）のホームページをアクセスしたとすると、ユーザ情報処理部１２はこの情報をユーザ情報データベース１３に保存する（ステップＳ２１３）。図５は、この保存するデータを示した図である。保存が終了するとステップＳ２０３に戻り、ユーザＩＤ０００６（登録名Ｆ）がログアウトするまで、以上の処理が続けられる。
【００３６】
前述したように、ユーザ情報データベース１３の情報を最新の情報に更新してもよい。この場合は、友人登録をした時点で更新を停止する。即ち、友人登録した場合はその直前の経由ページ情報が保存され、この経由ページ情報が友人登録のきっかけとして表示される。また友人登録するまでは、常に最新の情報に更新されるので、接触情報として常に最新の情報が表示される。
【００３７】
また、ユーザ２１が他のユーザ２１のホームページをアクセスする度に、全てのアクセスにおける直前の経由ページの情報を接触履歴としてユーザ情報データベース１３に保存してもよい。この場合にホームページに表示する接触情報は、任意のデータを選択して表示すればよく、また全てのデータを表示してもよい。
【００３８】
＜第２の実施の形態＞
本発明に係る第２の実施の形態のコミュニケーションサイトは、友人登録をしたユーザ２１について、詳細な友人関係情報を編集することができ、この友人関係情報を友人情報とともにホームページに表示する。また友人関係情報が編集されていない場合は、友人関係情報として、友人となるきっかけとなった接触情報を表示する。
【００３９】
まず、図６を用いて友人関係情報の編集について説明する。まずユーザ２１が、新密度の高まったユーザ２１に対して友人登録の申請を行う（ステップＳ６１）。友人登録の申請を受けたユーザ２１は、この申請を承諾するか否かを決定する（ステップＳ６２）。承諾した場合は、友人関係情報の編集を行う（ステップＳ６３）。友人関係情報は、第３者が見て友人間の関係をわかりやすくするためのものであり、この趣旨に沿って友人関係情報を編集する。また、この友人関係の編集は、友人登録の申請をしたユーザ２１が予め行っておいてもよい。友人関係情報の編集が終了すると、友人のユーザＩＤと友人登録日、及び友人関係情報をユーザ情報データベース１３に保存し、友人登録が終了する。承諾しない場合は、友人登録はされず、ユーザ情報データベース１３は変更せずに終了する。
【００４０】
また、友人関係情報の編集は、友人登録のときに行わなくとも、友人登録されてからでも可能となっている。また、友人登録のときに編集した友人関係情報も、常に変更可能となっている。図７を用いて、友人登録後における友人関係情報の変更について説明する。
【００４１】
まずユーザ２１が自分のホームページにアクセスする（ステップＳ７１）。自分のホームページで表示された友人関係情報について、変更を行うことが可能となっている。ここで、友人関係情報の編集を行うと（ステップＳ７２）、ユーザ情報データベース１３に保存され（ステップＳ７３）、友人関係情報の変更が終了する。友人関係情報の編集を行わない場合は、ユーザ情報データベース１３は変更せずに終了する。ここでは、一度編集した友人関係情報を削除することも可能である。
【００４２】
図８は、ユーザ情報データベース１３に保存されたデータについて示す図である。各ユーザ２１のユーザＩＤの他、各ユーザ２１の友人のユーザＩＤと友人登録日、及び友人関係情報について保存されている。この例では、ユーザＩＤ０００１（登録名Ａ）が、２００７年３月４日に登録した友人であるユーザＩＤ０００２（登録名Ｂ）の友人関係情報を「ラーメン屋探索友達」と編集している。また、ユーザＩＤ０００１（登録名Ａ）のもう１人の友人であるユーザＩＤ０００３（登録名Ｃ）の友人関係情報については、編集していない。
【００４３】
本実施の形態におけるユーザＩＤ０００１（登録名Ａ）のホームページの表示を図９（ａ）に示す。ユーザＩＤ０００１（登録名Ａ）のホームページには、友人情報としてユーザＩＤ０００２（登録名Ｂ）及びユーザＩＤ０００３（登録名Ｃ）の２人の登録名が表示されるとともに、この２人のユーザとの詳細な友人関係情報が表示される。図８に示すユーザ情報データベース１３のデータから、ユーザＩＤ０００２（登録名Ｂ）との友人関係情報として「ラーメン屋探索友達」と表示され、同時に友人登録を行った日が表示される。またユーザＩＤ０００３（登録名Ｃ）との友人関係情報は編集されていないので、図３に示すユーザ情報データベース１３の接触情報から、ユーザＩＤ０００４（登録名Ｄ）のホームページからアクセスされた旨が表示され、同時に友人登録を行った日が表示される。
【００４４】
このように、ホームページに表示する友人関係情報を編集することができ、また編集されていない場合には、友人となるきっかけとなった接触情報を表示する。
【００４５】
なお、ユーザＩＤ０００２（登録名Ｂ）のホームページを閲覧すると、図９（ｂ）に示すように、ユーザＩＤ０００２（登録名Ｂ）の友人である、ユーザＩＤ０００１（登録名Ａ）及びユーザＩＤ０００５（登録名Ｅ）の表示の他、友人関係情報が表示されている。ここで、図８に示すように、ユーザＩＤ０００２（登録名Ｂ）は友人関係情報の編集を行っておらず、友人関係情報として接触情報を表示している。このように、お互いに友人登録しているユーザＩＤ０００１（登録名Ａ）とユーザＩＤ０００２（登録名Ｂ）の友人関係情報が、閲覧するホームページによって異なることもある。これを防止するために、一方が編集した内容を共有してもよい。
【００４６】
また友人関係情報を自由に編集すると、友人関係情報として望まない記載がされる可能性もある。これを防ぐために、一方が編集した内容をもう一方が承認するようにしてもよい。
【００４７】
本実施の形態では、友人関係情報の編集が行われていない場合に、最も古い接触情報を友人関係情報として表示したが、友人登録を行う直前の接触情報を表示してもよい。
【図面の簡単な説明】
【００４８】
【図１】図１は、本発明に係るインターネットコミュニケーションサーバ１０が設けられたネットワークの概略図である。
【図２】図２は、ユーザ情報データベース１３の作成方法を示すフローチャートである。
【図３】図３は、ユーザ情報データベース１３に保存されたデータを示す図である。
【図４】図４は、ホームページの表示を示した図である。
【図５】図５は、保存するデータを示す図である。
【図６】図６は、友人登録の動作の流れを示すフローチャートである。
【図７】図７は、友人関係情報を変更する流れを示すフローチャートである。
【図８】図８は、ユーザ情報データベース１３に保存されたデータを示す図である。
【図９】図９は、ホームページの表示を示した図である。
【符号の説明】
【００４９】
１０…インターネットコミュニケーションサーバ、１１…ウェブサーバ、１２…ユーザ情報処理部、１３…ユーザ情報データベース、２０…インターネット、２１…クライアント（ユーザ）
【図１】
2008234340.tif 000003
【図２】
2008234340.tif 000004
【図３】
2008234340.tif 000005
【図４】
2008234340.tif 000006
【図５】
2008234340.tif 000007
【図６】
2008234340.tif 000008
【図７】
2008234340.tif 000009
【図８】
2008234340.tif 000010
【図９】
2008234340.tif 000011